(57)【要約】【課題】部品点数を削減するとともに、通電不良の発生を抑えることが可能なローラ部材の付勢機構を提供する。【解決手段】このリフト機構（付勢機構）は、中間転写ベルト１１に接する１次転写ローラ１６と、この１次転写ローラ１６を保持する絶縁性のケーシング９と、このケーシング９に上下方向にスライド可能に設けられ、１次転写ローラ１６のローラ軸１６ｂを受ける導電性の軸受８と、ケーシング９の軸受８の下方に設けられて、１次転写ローラ１６に電気を供給するための接点として機能する板状部材１０とを備えている。そして、板状部材１０は、単一のステンレス鋼製の板材からなり、軸受８の貫通孔８ｄ内の上縁部８ｅに接触して該軸受８を介して１次転写ローラ１６を中間転写ベルト１１に押し付けるバネ状に形成されていることを特徴とする。【選択図】図６
2008111999.tif 000002
【特許請求の範囲】
【請求項１】
所定の他部材に接するローラ部材と、このローラ部材を保持する絶縁性のケーシングと、このケーシングに前記ローラ部材のローラ軸と略直交する方向にスライド可能に設けられ、前記ローラ軸を受ける導電性の軸受と、前記ケーシングの前記軸受の近傍に設けられて、前記ローラ部材に電気を供給するための接点として機能する板状部材とを備えたローラ部材の付勢機構であって、
前記板状部材は、単一の板材からなり、前記軸受に接触して該軸受を介して前記ローラ部材を前記他部材に押し付けるバネ状に形成されていることを特徴とするローラ部材の付勢機構。
【請求項２】
前記板状部材は、前記ケーシングと係止する係止部と、前記軸受に接触する接触部と、前記係止部および前記接触部を連結する連結部とを含み、
前記連結部は、前記接触部が前記係止部に対して接離するのを許容する向きに弾性変形する形状を有しており、組付状態において前記接触部が前記係止部に接近するのを許容する向きに弾性変形していることを特徴とする請求項１に記載のローラ部材の付勢機構。
【請求項３】
前記連結部は、略Ｕ字状に形成されていることを特徴とする請求項２に記載のローラ部材の付勢機構。
【請求項４】
給紙部と、この給紙部から供給された用紙に画像を転写するための転写ローラを有する画像転写部とを備えた画像形成装置において、
前記転写ローラが請求項１〜３のいずれか一項に記載のローラ部材であることを特徴とする画像形成装置。
【請求項５】
給紙部と、この給紙部から供給された用紙に画像を転写する画像転写部とを備えた画像形成装置において、
前記画像転写部は、感光体ドラムの周面に形成された画像を中間転写体に転写するための転写ローラを含み、
前記転写ローラが請求項１〜３のいずれか一項に記載のローラ部材であることを特徴とする画像形成装置。
【発明の詳細な説明】
【技術分野】
【０００１】
本発明は、ローラ部材の付勢機構および該機構を備える画像形成装置に関する。
【背景技術】
【０００２】
従来、カラープリンタ等の画像形成装置では、感光体ドラムから転写ベルト、あるいは転写ベルトから用紙への画像転写時に、転写ベルトの下方に配された転写ローラを付勢機構で押し上げて転写ベルトに押圧接触させることにより転写処理が確実に実行されるように構成されている。
【０００３】
図８および図９は、従来の転写ローラの付勢機構を示した図である。この転写ローラ１１６（図９参照）は、絶縁性のケーシング１０９に保持されており、該ケーシング１０９には、転写ローラ１１６のローラ軸１１６ｂを受ける導電性の軸受１０８と、転写ローラ１１６に軸受１０８を介して電気を供給するべく図略の他のユニットとの接点として機能する板状部材１１０とが取り付けられている。そして、板状部材１１０と軸受１０８との間にはコイルバネ１１１が配されており、このコイルバネ１１１により軸受１０８とともに転写ローラ１１６を押し上げることで転写ローラ１１６を転写ベルト等に圧接させている。
【０００４】
また、特許文献１には、板状部材の上面に凸部を形成し、この凸部と軸受との間にコイルバネが圧縮状態で配されることで、軸受に軸支された転写ローラに電気を供給しつつ該転写ローラを押し上げる付勢機構が開示されている。
【特許文献１】特開２０００−２５０３３３号公報
【発明の開示】
【発明が解決しようとする課題】
【０００５】
しかしながら、上記従来の付勢機構では、コイルバネおよび板状部材を用いて転写ローラに電気を供給しつつ該転写ローラを押し上げる構成であるので、部品点数を削減するのが困難である。また、転写ローラに電気を供給するための経路の構成部材が多いため、通電不良が発生しやすくなる。
【０００６】
本発明は、上記のような課題を解決するためになされたものであり、部品点数を削減するとともに、通電不良の発生を抑えることが可能なローラ部材の付勢機構および該機構を備える画像形成装置を提供することを目的とする。
【課題を解決するための手段】
【０００７】
上記目的を達成するために、本発明の請求項１に記載のローラ部材の付勢機構は、所定の他部材に接するローラ部材と、このローラ部材を保持する絶縁性のケーシングと、このケーシングに前記ローラ部材のローラ軸と略直交する方向にスライド可能に設けられ、前記ローラ軸を受ける導電性の軸受と、前記ケーシングの前記軸受の近傍に設けられて、前記ローラ部材に電気を供給するための接点として機能する板状部材とを備えたローラ部材の付勢機構であって、前記板状部材は、単一の板材からなり、前記軸受に接触して該軸受を介して前記ローラ部材を前記他部材に押し付けるバネ状に形成されていることを特徴とする。
【０００８】
この請求項１に記載のローラ部材の付勢機構では、単一の板材からなるバネ状の板状部材によって、軸受を介してローラ部材に電気を供給しつつ該ローラ部材を他部材に押し付けることができるので、従来のようにコイルバネおよび板状部材を用いる場合と比較して、コイルバネの分だけ部品点数を削減することができる。また、この場合、ローラ部材に電気を供給するための経路の構成部材を減らすことができるので、通電不良が起こりにくい。
【０００９】
上記請求項１に記載のローラ部材の付勢機構において、好ましくは、前記板状部材は、前記ケーシングと係止する係止部と、前記軸受に接触する接触部と、前記係止部および前記接触部を連結する連結部とを含み、前記連結部は、前記接触部が前記係止部に対して接離するのを許容する向きに弾性変形する形状を有しており、組付状態において前記接触部が前記係止部に接近するのを許容する向きに弾性変形している（請求項２）。この構成によれば、組付状態では、接触部が係止部に接近するのを許容する向きに連結部が弾性変形するため、板状部材には、係止部から離間する方向に接触部を相対変位させる復元力が発生する。従って、軸受に接触する接触部が軸受を介してローラ部材を他部材に押し付けることとなり、容易に、単一の板材からなる板状部材にバネ性を持たせることができる。
【００１０】
上記請求項２に記載のローラ部材の付勢機構において、前記連結部は、略Ｕ字状に形成されていることが好ましい（請求項３）。この構成によれば、板状部材の加工が容易となる。
【００１１】
この発明の請求項４に記載の画像形成装置は、給紙部と、この給紙部から供給された用紙に画像を転写するための転写ローラを有する画像転写部とを備えた画像形成装置において、前記転写ローラが請求項１〜３のいずれか一項に記載のローラ部材であることを特徴とする。
【００１２】
この発明の請求項５に記載の画像形成装置は、給紙部と、この給紙部から供給された用紙に画像を転写する画像転写部とを備えた画像形成装置において、前記画像転写部は、感光体ドラムの周面に形成された画像を中間転写体に転写するための転写ローラを含み、前記転写ローラが請求項１〜３のいずれか一項に記載のローラ部材であることを特徴とする。
【発明の効果】
【００１３】
この発明のローラ部材の付勢機構および画像形成装置によれば、単一の板材からなるバネ状の板状部材によって、軸受を介してローラ部材に電気を供給しつつ該ローラ部材を他部材に押し付けることができるので、従来のようにコイルバネおよび板状部材を用いる場合と比較して、コイルバネの分だけ部品点数を削減することができる。また、この場合、ローラ部材に電気を供給するための経路の構成部材を減らすことができるので、通電不良が起こりにくい。
【発明を実施するための最良の形態】
【００１４】
以下、本発明の実施形態を図面に基づいて説明する。
【００１５】
図１は、本発明の一実施形態によるカラープリンタの全体構成を示した断面図であり、図２および図３は、カラープリンタの画像転写部の構成を示した図である。また、図４〜図７は、１次転写ローラのリフト機構の構成を示した図である。まず、図１〜図３を参照して、本発明の一実施形態によるタンデム式のカラープリンタ１の全体構成について説明する。
【００１６】
このカラープリンタ１は、図１に示すように、箱型の機器本体１ａを有しており、この機器本体１ａ内に用紙Ｐを貯留する挿脱自在の給紙カセット２１を備えた給紙部２と、この給紙部２の駆動で給紙カセット２１から繰り出された用紙Ｐを搬送しながら当該用紙Ｐに画像を転写する画像転写部３と、この画像転写部３で用紙Ｐに転写された画像に対して定着処理を施す定着部４とが内装されるとともに、前記機器本体１ａの上面に定着部４で定着処理の施された用紙Ｐが排紙される排紙部５が設けられることによって構成されている。
【００１７】
前記給紙部２は、給紙カセット２１の図１に示す右上方位置に設けられたピックアップローラ２２の駆動により、給紙カセット２１に貯留されている用紙Ｐを１枚ずつ取り出すとともに、その用紙Ｐを給紙ローラ２３、２４および２５によって用紙搬送路に送り出し、さらに、レジストローラ２６によって一時待機させた後、所定のタイミングで画像転写部３に供給するように構成されている。
【００１８】
また、給紙部２は、機器本体１ａの正面に取り付けられる図略の手差しトレイを有しており、手差しトレイに載置された用紙Ｐをピックアップローラ２７によって取り出すとともに、その用紙を給紙ローラ２３および２５によって１枚ずつ用紙搬送路に送り出すことが可能となっている。
【００１９】
前記画像転写部３は、図２および図３に示すように、画像転写ユニット７と、この画像転写ユニット７によってその表面（接触面）にトナー像が転写される中間転写ベルト１１と、この中間転写ベルト１１上のトナー像を給紙カセット２１から送り込まれた用紙Ｐにさらに転写するための２次転写ローラ１２とを備えている。２次転写ローラ１２は、画像転写ユニット７の直下位置に設けられている。
【００２０】
前記画像転写ユニット７は、上流側（図１では左側）から下流側に向けて順次配設されたイエロー用ユニット７Ｙと、マゼンタ用ユニット７Ｍと、シアン用ユニット７Ｃと、ブラック用ユニット７Ｋとを備えている。各ユニット７Ｙ、７Ｍ、７Ｃおよび７Ｋは、機器本体１ａ内における各機器に対して所定の相対的な位置関係で位置決めされて装着されている。
【００２１】
各ユニット７Ｙ、７Ｍ、７Ｃおよび７Ｋには、図２に示すように、それぞれの中央位置に像担持体としての感光体ドラム７１が配されているとともに、各感光体ドラム７１の図２における左側に現像装置７２が設けられている。そして、反時計回りの方向に回転する感光体ドラム７１の周面に現像装置７２からトナーが供給され、これによって感光体ドラム７１の周面にトナー像が形成されるようになっている。
【００２２】
また、各感光体ドラム７１の図２における右上位置には感光体ドラム７１周面の残留トナーおよび電荷を除去してクリーニングするクリーニング装置７３および除電器７４が設けられるとともに、感光体ドラム７１の直上位置にはスコロトロン等の帯電器７５が設けられており、クリーニング装置７３および除電器７４によって清浄化処理された感光体ドラム７１の周面は、新たな帯電処理のために帯電器７５へ向かうことになる。
【００２３】
そして、感光体ドラム７１の左上位置には、露光装置７６が設けられている。この露光装置７６は、帯電器７５によって一様に帯電された感光体ドラム７１の周面に、図略の画像読取り装置から入力された画像データに基づくレーザー光を照射するものであり、これによって各感光体ドラム７１の周面に静電潜像が形成されるようになっている。この静電潜像に現像装置７２からトナーが供給されることにより、感光体ドラム７１の周面にトナー像が形成され、このトナー像が中間転写ベルト１１に転写されるのである。
【００２４】
前記中間転写ベルト１１は、無端状の弾性ベルトであって、各ユニット７Ｙ、７Ｍ、７Ｃおよび７Ｋの直下位置において、表面側が感光体ドラム７１の周面にそれぞれ当接するように駆動ローラ１３、従動ローラ１４およびバックアップローラ１５間に張設されている。
【００２５】
各感光体ドラム７１の直下位置には、中間転写ベルト１１を介して１次転写ローラ１６がそれぞれ設けられている。この１次転写ローラ１６は、筒状に形成された導電性のローラ本体１６ａと、このローラ本体１６ａと同心に配設され、当該ローラ本体１６ａの端壁を貫通した導電性のローラ軸１６ｂとにより構成されており、ローラ本体１６ａの表面に電荷を付与することが可能なようになっている。そして、１次転写ローラ１６は、後述のリフト機構（付勢機構）によって上方に押し上げられており、中間転写ベルト１１は、これらの１次転写ローラ１６に押えられることにより、感光体ドラム７１から浮き上がるのが防止されるようになっている。
【００２６】
そして、１次転写ローラ１６に１次転写バイアス電位（トナーの帯電極性とは逆極性）が印加され、駆動ローラ１３が駆動して中間転写ベルト１１が時計回りの方向に周回することによって、各感光体ドラム７１上に形成されたトナー像が、１次転写ローラ１６からの押圧力により重ね塗り状態で中間転写ベルト１１の表面に順次転写される。そして、中間転写ベルト１１の表面に形成されたカラー画像が、２次転写ローラ１２にトナー像と逆極性の２次転写バイアス電位を印加することにより２次転写ローラ１２とバックアップローラ１５との間で用紙Ｐに転写され、これによって用紙Ｐにカラーの転写画像が形成されるようになっている。
【００２７】
また、従動ローラ１４の図２における左上位置には、クリーニングブラシ１７が設けられており、用紙Ｐへのトナー像の転写処理後の中間転写ベルト１１の表面に残留しているトナーが、このクリーニングブラシ１７によって取り除かれ、これによって清浄化した中間転写ベルト１１が感光体ドラム７１へ供給されるようになっている。
【００２８】
前記定着部４は、画像転写部３で用紙Ｐに転写された転写画像に定着処理を施すものであり、通電発熱体により加熱される熱ローラ４１と、この熱ローラ４１に対向配置され、周面が熱ローラ４１の周面に押圧当接される加圧ローラ４２とを備えている。
【００２９】
そして、前記画像転写部３で２次転写ローラ１２により用紙Ｐに転写された転写画像は、当該用紙Ｐが熱ローラ４１と加圧ローラ４２との間を通過する際の加熱による定着処理で用紙Ｐに定着される。そして、定着処理の施された用紙Ｐは、排紙部５へ排紙されるようになっている。また、本実施形態のカラープリンタ１では、定着部４と排紙部５との間の適所に搬送ローラ６が配設されている。
【００３０】
次に、図４〜図７を参照して上記１次転写ローラ１６のリフト機構について詳細に説明する。
【００３１】
このリフト機構は、図４〜図６に示すように、導電性の軸受８と、絶縁性のケーシング９と、ステンレス鋼製の板状部材１０とにより主として構成されている。そして、１次転写ローラ１６のローラ軸１６ｂの両端が、それぞれ、軸受８を介してケーシング９に保持されるようになっている。
【００３２】
軸受８は、ケーシング９に上下方向にスライド可能に装着された状態で、１次転写ローラ１６のローラ軸１６ｂを軸支するように構成されており、図７に示すように、上部に形成された受け部８ａと、受け部８ａの下部に連設された挿入部８ｂと、挿入部８ｂの両側部に連設された嵌入片８ｃと、挿入部８ｂを貫通する貫通孔８ｄとを含んでいる。
【００３３】
受け部８ａは、ローラ軸１６ｂを回転可能に受けるように上向き略半円弧状に形成されている。挿入部８ｂおよび嵌入片８ｃは、下記に詳述するが当該軸受８をケーシング９に上下方向にスライド可能に装着するためのものである。貫通孔８ｄは、板状部材１０を挿通させるとともに、当該貫通孔８ｄの上縁部８ｅに接触させるために設けられている。
【００３４】
ケーシング９は、上面開口の略箱状に形成されており、底面部９１と、側面部９２と、突出部９３とを有している。
【００３５】
底面部９１には、１次転写ローラ１６の軸方向に沿って延在するとともに、１次転写ローラ１６の直径よりも僅かに大きい間隔を隔てて対向する一対の壁部９１ａが立設されている。これらの壁部９１ａの対向面のうち側面部９２寄りの部位には、それぞれ、底面部９１および壁部９１ａに直交する保持部９１ｂが形成されている。
【００３６】
上記保持部９１ｂ同士は、軸受８の挿入部８ｂの形成幅に略合致する間隔を隔てて設けられている。また、各保持部９１ｂと側面部９２との間には、軸受８の嵌入片８ｄを上方から嵌め込むための隙間Ｓが形成されている。これによって、軸受８がケーシング９に上下方向にスライド可能に保持される。
【００３７】
また、底面部９１の両保持部９１ｂに挟まれる領域には、挿通孔９１ｃが形成されている。この挿通孔９１ｃは、軸受８の挿入部８ｂおよび嵌入片８ｃの下部を挿通するためのものであり、軸受８が挿通孔９１ｃに挿入されることによってケーシング９に対する軸受８の水平方向の位置決めが行われる。また、挿通孔９１ｃよりも底面部９１の中央寄りの位置には、板状部材１０に係合する係合突起９１ｄが形成されている。
【００３８】
また、側面部９２は、底面部９１の周縁から上方に立設されており、当該側面部９２の下部には、板状部材１０を挿通させるためのスリット９２ａが形成されている。
【００３９】
また、突出部９３は、板状部材１０を取り付けるためのものであり、側面部９２よりも外側に突出するように底面部９１に連設されている。
【００４０】
板状部材１０は、ステンレス鋼製の単一の板材を加工して形成されており、側面部９２のスリット９２ａおよび軸受８の貫通孔８ｄに挿通された状態でケーシング９に取り付けられている。この板状部材１０は、軸受８の貫通孔８ｄ内の上縁部８ｅに接触して該軸受８を上方に押し上げるバネ形状に形成されている。また、板状部材１０は、他のユニット（図示せず）に接触するように構成されており、１次転写ローラ１６に電気を供給する、すなわちローラ本体１６ａの表面に電荷を付与するための接点として機能している。
【００４１】
詳細には、板状部材１０は、ケーシング９と係止する係止部１０ａと、軸受８の貫通孔８ｄ内の上縁部８ｅに下方から接触する接触部１０ｂと、係止部１０ａおよび接触部１０ｂを連結する連結部１０ｃとを有している。
【００４２】
係止部１０ａの端部は、略コの字状に折れ曲がった屈曲バネ形状を有しており、この端部でケーシング９の突出部９３を上下方向から挟み込むことにより板状部材１０がケーシング９に取り付けられている。また、係止部１０ａの屈曲部位の外周面は、他のユニットとの接点となっている。また、係止部１０ａには、ケーシング９の係合突起９１ｄに係合する係合部１０ｄが設けられており、係合突起９１ｄを係合部１０ｄに係合させることで板状部材１０がケーシング９から外れるのを防いでいる。
【００４３】
連結部１０ｃは、接触部１０ｂが係止部１０ａに対して接離するのを許容する向きに弾性変形する横向き略Ｕ字状に形成されており、リフト機構の組付状態では、接触部１０ｂが係止部１０ａに接近するのを許容する向きに弾性変形している。
【００４４】
従って、上記構成の板状部材１０では、接触部１０ｂを係止部１０ａから離間する方向（図６の矢印参照）に相対変位させる復元力が当該板状部材１０に発生しており、軸受８の上縁部８ｅに接する接触部１０ｂによって軸受８が上方に押し上げられることによって、１次転写ローラ１６が中間転写ベルト１１に押し当たる。さらに上記復元力は、係止部１０ａをケーシング９の底面部９１に押し付ける方向にも作用するため、係合突起９１ｄと係合部１０ｄとの係合がより確実なものとなっている。
【００４５】
また、ステンレス鋼製の単一の板材からなる板状部材１０が、その係止部１０ａにおいて他のユニットに接するとともに、接触部１０ｂにおいて軸受８に接していることから、板状部材１０および軸受８を介して１次転写ローラ１６に電気が供給されるようになっている。
【００４６】
本実施形態では、上記のように、ステンレス鋼製の単一の板材からなるバネ状の板状部材１０によって、軸受８を介して１次転写ローラ１６に電気を供給しつつ１次転写ローラ１６を軸受８とともに上方に押し上げて中間転写ベルト１１に押し付けることができるので、従来のようにコイルバネおよび板状部材を用いる場合と比較して、コイルバネの分だけ部品点数を削減することができる。また、この場合、１次転写ローラ１６に電気を供給するための経路の構成部材を減らすことができるので、通電不良が起こりにくい。
【００４７】
また、本実施形態の構成では、図１０に示す従来例のように、コイルバネを使用しないので、コイルバネ１１１が、板状部材１１０に形成された貫通孔に落ち込む（矢印ａ参照）といった不都合が発生しない。
【００４８】
また、本実施形態では、上記のように、板状部材１０の組付状態では、接触部１０ｂが係止部１０ａに接近するのを許容する向きに連結部１０ｃが弾性変形するため、板状部材１０には、係止部１０ａから離間する方向に接触部１０ｂを相対変位させる復元力が発生する。従って、軸受８の貫通孔８ｄ内の上縁部８ｅに接触する接触部１０ｂが軸受８を上方に押し上げて１次転写ローラ１６を中間転写ベルト１１に押し付けることとなり、容易に、単一の板材からなる板状部材１０にバネ性を持たせることができる。
【００４９】
また、本実施形態では、連結部１０ｃを横向き略Ｕ字状に形成することによって、板状部材１０の加工が容易となる。
【００５０】
なお、上記実施形態では、本発明のローラ部材の付勢機構を、１次転写ローラ１６を中間転写ベルト１１に押し付けるためのリフト機構に適用する例について示したが、これに限らず、２次転写ローラ１２を中間転写ベルト１１に押し付けるためのリフト機構や、帯電器７５に具備される帯電ローラのリフト機構等にも適用可能である。
【００５１】
また、上記実施形態では、本発明のローラ部材の付勢機構を、画像転写ユニット７が中間転写ベルト１１の上側に配置され、１次転写ローラ１６が中間転写ベルト１１に下側から接触する構成の画像転写部３を備えたカラープリンタ１に適用して、１次転写ローラ１６を軸受とともに上方に付勢する例について示したが、これに限らず、本発明を、画像転写ユニットが中間転写ベルトの下側に配置され、１次転写ローラが中間転写ベルトに上側から接触する構成の画像転写部を備えたプリンタに適用し、１次転写ローラを軸受とともに下方に付勢する場合や、画像転写ユニットが縦置きの中間転写ベルトの側方に配置され、１次転写ローラが中間転写ベルトに側方から接触する構成の画像転写部を備えたプリンタに適用して、１次転写ローラを軸受とともに側方に付勢する場合にも適用可能である。
【００５２】
また、上記実施形態では、連結部１０ｃを横向き略Ｕ字状に形成する例について示したが、これに限らず、連結部１０ｃを横向き略コの字状等のバネ性を有する形状に形成してもよい。
【００５３】
また、上記実施形態では、本発明を、画像形成装置の一例としてのカラープリンタに適用する例について示したが、これに限らず、カラープリンタ以外のモノクロプリンタや複写機、ファクシミリ、それらの複合機等にも適用可能である。
【図面の簡単な説明】
【００５４】
【図１】本発明の一実施形態によるカラープリンタの全体構成を示した断面図である。
【図２】カラープリンタの画像転写部周辺の構成を示した要部拡大図である。
【図３】図２に示した画像転写部の概略斜視図である。
【図４】１次転写ローラのリフト機構の構成を示した斜視図である。
【図５】図４に示した１次転写ローラのリフト機構において１次転写ローラを省略した状態を示した斜視図である。
【図６】１次転写ローラのリフト機構の断面図である。
【図７】１次転写ローラ、軸受および板状部材を示した分解斜視図である。
【図８】従来の転写ローラのリフト機構の構成を示した断面図である。
【図９】従来の転写ローラのリフト機構の分解斜視図である。
【図１０】従来の転写ローラのリフト機構における問題点を説明するための概略断面図である。
【符号の説明】
【００５５】
１  カラープリンタ（画像形成装置）
２  給紙部
３  画像転写部
８  軸受
８ｅ  上縁部（下面）
９  ケーシング
１０  板状部材
１０ａ  係止部
１０ｂ  接触部
１０ｃ  連結部
１１  中間転写ベルト（所定の他部材）
１６  １次転写ローラ（ローラ部材、転写ローラ）
１６ｂ  ローラ軸
７１  感光体ドラム
【図１】
2008111999.tif 000003
【図２】
2008111999.tif 000004
【図３】
2008111999.tif 000005
【図４】
2008111999.tif 000006
【図５】
2008111999.tif 000007
【図６】
2008111999.tif 000008
【図７】
2008111999.tif 000009
【図８】
2008111999.tif 000010
【図９】
2008111999.tif 000011
【図１０】
2008111999.tif 000012